(57)【特許請求の範囲】
【請求項１】
缶蓋本体の上面に、上方に向って凸とされたリベットと、主スコアにより画成された主開口部と、副スコアにより画成されるとともに、前記リベットを挟んで前記主開口部と反対側の領域に張り出した通気開口部とが形成され、前記主開口部の上に一端部側が重なるように前記リベットに取り付けられたタブを備える缶蓋であって、
前記通気開口部は、前記主開口部に屈曲部を介して連結されており、
前記タブを前記リベット回りに回転させ、該タブの一端部側を前記通気開口部の上に重ねたときに、当該タブの一端部の先端外周縁が、前記屈曲部および前記副スコアに沿い、かつ前記タブの先端外周縁における頂部が、前記屈曲部の近傍に前記缶蓋本体上面の径方向で対向する構成とされたことを特徴とする缶蓋。
【請求項２】
請求項１記載の缶蓋において、
前記主スコアは、一部が開口した平面視楕円形状とされるとともに、その一端部が前記リベットの周縁部に位置され、前記副スコアは、前記主スコアの他端部に前記屈曲部を介して連結されていることを特徴とする缶蓋。
【請求項３】
請求項１または２に記載の缶蓋において、
前記屈曲部は、前記リベットの中心よりも前記主開口部側に位置されていることを特徴とする缶蓋。
【発明の詳細な説明】
【技術分野】
【０００１】
本発明は、缶体の開口部に巻締められる缶蓋に関するものである。
【背景技術】
【０００２】
この種の缶蓋は、従来から良好な注ぎ性を具備させるために、種々の手段が講じられており、例えば下記特許文献１に示されるような、缶蓋本体の上面に、上方に向って凸とされたリベットと、主スコアにより画成された主開口部と、副スコアにより画成されるとともに、前記リベットを挟んで前記主開口部と反対側の領域に張り出した通気開口部とが形成され、前記主開口部の上に一端部側が重なるように前記リベットに取り付けられたタブを備える構成が知られている。
【特許文献１】特表２００３−５１７９７４号公報
【発明の開示】
【発明が解決しようとする課題】
【０００３】
しかしながら、前記従来の缶蓋では、通気開口部を開口させることが困難な場合があるとともに、この通気開口部を大きくしてさらなる注ぎ性の向上を図るために、前記副スコアを長くした場合には、この副スコアを全長に亙って破断させることができないおそれがあった。
【０００４】
本発明は、このような事情を考慮してなされたもので、良好な注ぎ性を確実に具備させることができる缶蓋を提供することを目的とする。
【課題を解決するための手段】
【０００５】
このような課題を解決して、前記目的を達成するために、本発明の缶蓋は、缶蓋本体の上面に、上方に向って凸とされたリベットと、主スコアにより画成された主開口部と、副スコアにより画成されるとともに、前記リベットを挟んで前記主開口部と反対側の領域に張り出した通気開口部とが形成され、前記主開口部の上に一端部側が重なるように前記リベットに取り付けられたタブを備える缶蓋であって、前記通気開口部は、前記主開口部に屈曲部を介して連結されており、前記タブを前記リベット回りに回転させ、該タブの一端部側を前記通気開口部の上に重ねたときに、当該タブの一端部の先端外周縁が、前記屈曲部および前記副スコアに沿い、かつ前記タブの先端外周縁における頂部が、前記屈曲部の近傍に前記缶蓋本体上面の径方向で対向する構成とされたことを特徴とする。
【０００６】
この発明では、前記主開口部と前記通気開口部とが、屈曲部を介して連結されているので、タブの前記他端部を引き上げ、前記主スコアをその全長に亙って破断させて前記開口部を開口したときに、前記屈曲部に応力が集中することになる。したがって、この屈曲部を破断させることにより、該屈曲部を副スコアが破断される起点とすることが可能になる。これにより、通気開口部を確実に開口させることが可能になり、副スコアを長くして通気開口部を大きくしてもこれを容易かつ確実に開口させることができる。
【０００７】
ここで、前記主スコアは、一部が開口した平面視楕円形状とされるとともに、その一端部が前記リベットの周縁部に位置され、前記副スコアは、前記主スコアの他端部に前記屈曲部を介して連結されてもよい。
【０００８】
この場合、主スコアを破断させて主開口部を開口したときに、前記屈曲部に応力が集中することになるので、該屈曲部と主開口部との連結部分が折り曲げられることになる。したがって、前記通気開口部を開口させなくても、主開口部を、通気開口部が備えられていない従来からある缶蓋と同等の大きさで開口させることが可能になり、少なくとも当該従来の缶蓋の注ぎ性は確保することができる。これにより、需要者においては状況に応じて通気開口部を開栓するか否かの選択をすることが可能になり、取り扱い性の良好な缶蓋を提供することができる。
【０００９】
また、前記屈曲部は、前記リベットの中心よりも前記主開口部側に位置されてもよい。
この場合、主開口部を開口したときに、屈曲部と主開口部との連結部分を確実に折り曲げることができる。
【発明の効果】
【００１１】
この発明によれば、缶蓋に良好な注ぎ性を具備させることができる。
【発明を実施するための最良の形態】
【００１２】
以下、図面を参照し、この発明の実施の形態について説明する。
本実施形態の缶蓋では、アルミニウム若しくはアルミニウム合金により形成され、缶蓋本体１０の上面１０ａに、上方に向けて凸とされたリベット１１と、主スコア１３により画成された主開口部１４と、副スコア１５により画成されるとともに、リベット１１を挟んで主開口部１４と反対側の領域に張り出した通気開口部１６とが形成されている。また、主開口部１４の上に一端部１７ａ側が重なるようにリベット１１に取り付けられたタブ１７が備えられている。
【００１３】
なお、この缶蓋本体１０の外周縁部には、全周に亙って凹溝１８が形成されるとともに、この凹溝１８の外周縁部に連なって、缶蓋本体上面１０ａの上方に向って延び、かつ缶蓋本体上面１０ａの径方向外方に折り返された折り返し部１９が形成されている。また、タブ１７の他端部１７ｂには、このタブ１７の厚さ方向に開口したフィンガーホール１７ｃが形成されている。さらに、缶蓋本体上面１０ａにおける、リベット１１を挟んで主開口部１４と反対側の領域には、凹溝１８とタブ１７の他端縁１７ｄとの間に、指かけ凹部１０ｂが形成されている。
【００１４】
ここで、本実施形態の缶蓋では、主スコア１３は、その平面視において、一部が開口した楕円形状とされ、その一端部１３ｂが、缶蓋本体上面１０ａにおけるリベット１１の周縁部に位置されている。このリベット１１の周縁部は、いわゆるコイニング部とされ、缶蓋本体上面１０ａの中で他よりも硬度が高くされている。また、主スコア１３の他端部１３ａ側は、缶蓋本体上面１０ａの径方向外方へ凸とされた円弧形状とされている。
【００１５】
そして、副スコア１５が主スコア１３の他端部１３ａに屈曲部２０を介して連結されることにより、通気開口部１６が主開口部１４に屈曲部２０を介して連結された構成とされている。本実施形態の副スコア１５は、缶蓋本体上面１０ａの平面視において、屈曲部２０から、リベット１１を挟んで主開口部１４と反対側に向けて延在し、かつ径方向外方へ凸とされた円弧形状とされている。
屈曲部２０は、径方向内方に向けて凸とされるとともに、リベット１１よりも主開口部１４側に位置されている。
【００１６】
また、図１に二点鎖線で示すように、タブ１７をリベット１１回りに回転させ（図示の例では約９０°）、該タブ１７の一端部１７ａ側を通気開口部１６の上に重ねたときに、当該タブ１７の一端部１７ａの先端外周縁が、屈曲部２０および副スコア１５に沿う構成とされている。
【００１７】
すなわち、タブ１７をリベット１１回りに回転させ、該タブ１７の一端部１７ａ側を通気開口部１６の上に重ねたときに、副スコア１５および屈曲部２０と、当該タブ１７の一端部１７ａの先端外周縁との距離が、屈曲部２０から副スコア１５の終端部１５ａまでの全領域に亙って同等とされている。また、タブ１７の一端部１７ａの先端外周縁における頂部が、屈曲部２０の近傍に缶蓋本体上面１０ａの径方向で対向させられる。
【００１８】
なお、副スコア１５の終端部１５ａは、タブ１７の一端部１７ａが主開口部１４の上に位置された前記回転前の状態で、フィンガーホール１７ｃの径方向中央部に位置されている。
【００１９】
次に、以上の缶蓋の主開口部１４および通気開口部１６を開口する方法について説明する。
まず、タブ１７の一端部１７ａ側が主開口部１４の上に重なった状態で、タブ１７を引き上げ主開口部１４を開口する。この際、屈曲部２０に応力が集中することになるので、該屈曲部２０と主開口部１４との連結部分１４ａが折り曲げられる。
【００２０】
その後、タブ１７を一旦、開栓前の状態に倒して戻すとともに、リベット１１回りに回転させて当該タブ１７の一端部１７ａを通気開口部１６の上に重なるように位置させる。この際、副スコア１５および屈曲部２０と、当該タブ１７の一端部１７ａの先端外周縁との距離は、屈曲部２０および副スコア１５の全域に亙って同等になる。
【００２１】
次に、この状態でタブ１７を引き上げ、屈曲部２０に応力を集中させて、この屈曲部２０を破断させることにより、該屈曲部２０を副スコア１５が破断される起点とし、タブ１７の引き上げを継続することによって、副スコア１５を終端部１５ａに向けて順次破断させ、通気開口部１６を開口する。
【００２２】
以上説明したように本実施形態による缶蓋によれば、主開口部１４と通気開口部１６とが、屈曲部２０を介して連結されているので、タブ１７の他端部１７ｂを引き上げ、主スコア１３をその全長に亙って破断させて開口部１４を開口したときに、屈曲部２０に応力が集中することになる。したがって、この屈曲部２０を破断させることにより、該屈曲部２０を副スコア１５が破断される起点とすることが可能になる。これにより、通気開口部１６を確実に開口させることが可能になり、副スコア１５を長くして通気開口部１６を大きくしてもこれを容易かつ確実に開口させることができる。
【００２３】
また、主スコア１３を破断させて主開口部１４を開口したときに、屈曲部２０に応力が集中し前記連結部分１４ａが折り曲げられるので、通気開口部１６を開口させなくても、主開口部１４を、通気開口部１６が備えられていない従来からある缶蓋と同等の大きさで開口させることが可能になり、少なくとも当該従来の缶蓋の注ぎ性は確保することができる。これにより、需要者においては状況に応じて通気開口部１６を開栓するか否かの選択をすることが可能になり、取り扱い性の良好な缶蓋を提供することができる。
【００２４】
特に、本実施形態の屈曲部２０は、リベット１１の中心よりも主開口部１４側に位置されているので、連結部分１４ａの前記折り曲げを確実に実現することができる。
【００２５】
さらに本実施形態では、通気開口部１６を開口するに際し、タブ１７を前記回転させて、副スコア１５および屈曲部２０と、当該タブ１７の一端部１７ａの先端外周縁との距離を、屈曲部２０および副スコア１５の全域に亙って同等にし、かつタブ１７の一端部１７ａの先端外周縁における頂部を、屈曲部２０の近傍に缶蓋本体上面１０ａの径方向で対向させるので、この状態でタブ１７を引き上げたときに、まず屈曲部２０に応力を集中させることが可能になる。
【００２６】
したがって、この屈曲部２０を破断させることにより、該屈曲部２０を副スコア１５が破断される起点とすることが可能になる。これにより、タブ１７の前記引き上げを継続することにより、副スコア１５を、屈曲部２０から副スコア１５の終端部１５ａまでの全域に亙って破断することが可能になり、通気開口部１６をさらに確実に開口することができる。
【００２７】
なお、本発明の技術的範囲は前記実施の形態に限定されるものではなく、本発明の趣旨を逸脱しない範囲において種々の変更を加えることが可能である。
例えば、前記実施形態では、主開口部１４を開口した後に、タブ１７を元の状態に倒して戻すとともに、タブ１７をリベット１１回りに９０°回転させ、その後、再度タブ１７を引き上げて通気開口部１６を開口したが、タブ１７をリベット１１回りに９０°より小さい角度だけ回転させておき、この状態でタブ１７を引き上げることにより、主開口部１４、屈曲部２０および通気開口部１６を順次開口させるようにしてもよい。すなわち、タブ１７の引き上げ動作を一回するだけで、主開口部１４、屈曲部２０および通気開口部１６を開口させるようにしてもよい。
【産業上の利用可能性】
【００２８】
缶蓋に良好な注ぎ性を具備させることができる。
【図面の簡単な説明】
【００２９】
【図１】本発明に係る一実施形態として示した缶蓋の平面図である。
【符号の説明】
【００３０】
１０  缶蓋本体
１０ａ  上面
１１  リベット
１３  主スコア
１３ａ  主スコアの他端部
１３ｂ  主スコアの一端部
１４  主開口部
１５  副スコア
１６  通気開口部
１７  タブ
１７ａ  一端部
２０  屈曲部
【図１】
0004713256.tif 000002